(57)【要約】  本発明は、従来の諸課題を解決するとともに、ペン立てとして安定して自立する自立型収納具を提案する。具体的には、本発明に係る自立型収納具は、底面と当該底面から立設する側面に囲まれた主収納空間を有する収納部と、上面と当該上面から立設する側面に囲まれた副収納空間を有する蓋部とからなる自立型収納具であって、上記収納部の側面の一つの上辺と、上記蓋部の側面のひとつの下辺とが結合部を成し、当該結合部を回転軸として、上記蓋部が上記収納部に対して回転可能に結合し、上記蓋部を上記収納部に対して略１８０°回転させて、上記蓋部の側面を上記収納部の側面に略当接した際に、上記蓋部の上面と上記収納部の底面とが略同一面にあり、上記収納部の側面上端部は上記上面に達しないことを特徴とする。
2018216488.tif 000002
【特許請求の範囲】
【請求項１】
底面と当該底面から立設する側面に囲まれた主収納空間を有する収納部と、  上面と当該上面から立設する側面に囲まれた副収納空間を有する蓋部と、  からなる自立型ペンケースであって、  上記収納部の側面上端部の一部と、上記蓋部の側面下端部の一部とが結合部を成し、当該結合部を略回転軸として、上記蓋部が上記収納部に対して回転可能に結合し、  上記蓋部を上記収納部に対して略１８０°回転させて、上記蓋部の側面を上記収納部の側面に略当接した際に、上記蓋部の上面と上記収納部の底面とが略同一面にあり、  上記収納部の側面上端部は上記上面に達しない  ことを特徴とする自立型ペンケース。
【請求項２】
上記収納部と上記蓋部とが着脱可能に開閉する開閉手段を有し、  当該開閉手段の端部の高さ位置を上記結合部の高さ位置よりも上記底面寄りに設けた  ことを特徴とする請求項１に記載の自立型ペンケース。
【請求項３】
上記蓋部を上記収納部に対して略１８０°回転させた際に当接する上記蓋部の側面および上記収納部の側面とが着脱可能に固定される側面部固定手段を有する  ことを特徴とする請求項１または２に記載の自立型ペンケース。
【請求項４】
上記側面部固定手段は、磁気的相互作用を用いたものである  ことを特徴とする請求項３に記載の自立型ペンケース。
【請求項５】
上記収納部において、上記結合部を有する側面と対向した側面の上方を上記底面方向に折り返し可能にする折り返し部を設けた  ことを特徴とする請求項１から４のいずれかに記載の自立型ペンケース。
【発明の詳細な説明】
【技術分野】
【０００１】  本発明は、鉛筆等の文具を収納するためのペンケースに関するものであり、特に自立するペンケースに関するものである。
【背景技術】
【０００２】  鉛筆等の文具を収納するためのペンケースであり、且つ、ペン立てのように自立可能なものが提案されている。【０００３】  例えば、ケース本体が、開閉手段を閉位置にしたときに強制的な折り曲げ力を受けて折れ曲がる一方、開閉手段を開位置にしたときに所定角度開く構成としたで、ケース本体の閉塞状態を解除するだけで、手で拡げる操作をすることなく、ペン立てとして利用することが可能となるペンケースが提案されている（例えば、特許文献１）。【０００４】  また、ケース本体が、その長さを変化する方向に相対移動可能にしたことで、ケース本体の長手方向一端側に形成された出し入れ口を開放した状態でケース本体の長さを短くしたときに、筆記具の一端側をケース本体の外に露出させることができ、設置部により自立可能に設けられているため、筆記具ケースをペン立てとして利用することができるペンケースが提案されている（例えば、特許文献２）。【０００５】  さらに、文房具又は化粧品等の小物の容器トレーとしても容器スタンドとしても使用可能な容器が提案されている。この容器は、ペントレーとしての第１の姿勢（水平姿勢）とペンスタンドとしての第２の姿勢（垂直姿勢）との２つの姿勢で物の収納に用いられる容器であって、前記第１姿勢の状態で前記容器を自立させる底を構成する第１底面部１０１と、前記第２姿勢の状態で前記容器を自立させる底を構成しており前記第１底面部１０１と交わるように広がった第２底面部１０２と、前記第１底面部１０１のうち前記第２底面部１０２側とは反対側の端部を含む部分が前記第１底面部１０１側とは反対側に向けて開放されるように開口した開口部１０３と、を有する本体部１００と、前記開口部１０３を開閉可能な蓋部１０４と、を備え、前記開口部１０３は、第１姿勢と第２姿勢で共通の開口部である（例えば、特許文献３）。【０００６】  また、ファスナーの閉状態では長尺状かつ箱状であり内部に筆記具の第１収納空間が形成され、ファスナーの開状態ではスタンド形態として使用可能である筆記具ケースであって、前記ファスナーの閉状態において、前記筆記具ケースの長手方向で対向する底面部および天面部と、前記ファスナーの閉状態において、前記長手方向と直交する平面内で前記第１収納空間を形成し、第１方向で対向する正面部および背面部と、前記第１方向と直交する第２方向で対向する第１側面部および第２側面部と、を備え、前記ファスナーは、前記第１側面部の前記長手方向の中央部から前記底面部側の端部までの間にある第１地点から、前記第１側面部および前記天面部を経由し、前記第２側面部の前記長手方向の中央部から前記底面部側の端部までの間にある第２地点まで形成され、前記ファスナーの開状態において、前記正面部は、前記長手方向における中央部の屈曲領域を中心に屈曲可能であり、前記筆記具ケースは、前記正面部を屈曲させた状態において前記天面部および前記底面部を載置面に接触させることでスタンド形態として使用可能であり、前記正面部を屈曲させた状態において前記背面部を前記載置面に接触させることで寝かせた形態として使用可能であり、前記ファスナーは、前記天面部において、前記背面部側の縁部に沿って設けられ、前記天面部は、芯材とし��金属板を備えることを特徴とする筆記具ケースも提案されている（例えば、特許文献４）。
【先行技術文献】
【特許文献】
【０００７】
【特許文献１】特開２００２−３２０５１３号
【特許文献２】特開２００２−３２０５１２号
【特許文献３】特開２０１７−２００５７０号
【特許文献４】特許６２２４８７５号
【発明の概要】
【発明が解決しようとする課題】
【０００８】  しかしながら、特許文献１に開示されている構成においては、開閉手段を開位置にしたときには、多くの筆記具等を収納できるが、開閉手段を閉位置にしたときには著しく収納容積が減少するため、多くの筆記具等を収納した状態でケースを閉じることができなかった。また、開閉手段を開位置にしたときにおいても、開口面積が小さいため、消しゴム等の小物を取り出しにくいという問題もあった。【０００９】  特許文献２に開示されている構成においては、ケース本体の長さを変化させるという複雑な機構が必要なため、体積に比して収納容積が小さくなるという問題があった。また、ケース本体の長さを変化させる際に、収納物がその勢いでケース外に飛び出してしまうというリスクもある。【００１０】  特許文献３に開示されている構成においては、図２に示されるように、係止部１０８２が蓋部１０４の図２における左端面に到達している。したがって、ペンスタンドとしての第１の姿勢（図４）において、蓋部１０４が立設する箇所の剛性が小さく、ペンスタンドとしての自立姿勢が不安定になり、倒れたり傾いたりしやすくなる。  また、ペンスタンドとしての第１の姿勢において、蓋部１０４を収納部として利用できない。  さらに、係止部１０８２を開閉する際に、開閉距離が長くなり、開閉に手間が掛かるといった種々の課題がある。【００１１】  特許文献４に開示されている構成においても、上述した特許文献３に開示されている容器と同様の課題がある。特に、図１８や図１９に示されているファスナーが天面部内を通過する構成においては、これらの課題がより顕著になる。【００１２】  本発明は、上記の問題点を解決し、且つ、より安定に立設可能なペンケースを提案するものである。また、同様の構成の立設可能な化粧ポーチを提案するものである。
【課題を解決するための手段】
【００１３】  本発明に係る自立型ペンケースは、  底面と当該底面から立設する側面に囲まれた主収納空間を有する収納部と、  上面と当該上面から立設する側面に囲まれた副収納空間を有する蓋部と、  からなる自立型ペンケースであって、  上記収納部の側面上端部の一部と、上記蓋部の側面下端部の一部とが結合部を成し、当該結合部を略回転軸として、上記蓋部が上記収納部に対して回転可能に結合し、  上記蓋部を上記収納部に対して略１８０°回転させて、上記蓋部の側面を上記収納部の側面に略当接した際に、上記蓋部の上面と上記収納部の底面とが略同一面にあり、  上記収納部の側面上端部は上記上面に達しない  ことを特徴とするものである。
【発明の効果】
【００１４】  本発明に係る自立型ペンケースは上記のように構成されているので、以下に示す数多くの発明の効果を有する。  まず、ペンケースを閉じた状態と開いて立設させた状態とで、収納容量が変化しないため、開いて立設させた状態で多くの文具を収納していても、そのままペンケースを閉じて持ち運ぶことが可能である。【００１５】  また、通常のペンケースと同様の蓋の開閉機構であるため、複雑な機構を必要とせず、製造コストの大きな増加はなく、且つ開閉機構により収納容積が減少することがない。【００１６】  さらに、ペンケースを開いて立設させた状態において、設置面積が２倍になるため、非常に安定に立設するペン立てとして使用できる。近年、ペンケースとしては質感が高く、優しい印象を与える布縫製加工のものの人気が高いが、そのような柔らかな材質を用いても、設置面積が広いため、安定して立設可能である。【００１７】  また、収納部と蓋部との結合部の高さ位置は、ペンケースを閉じた際の高さの略中央の位置になる。収納部に対してこの結合部を軸として蓋部を回転させて立設させるので、立設させた状態において、収納部の結合部を含む側面の高さは、閉じた際の高さの略半分の位置になるため、収納物を取り出しやすくなる。  特に、開閉手段の端部の高さ位置を結合部の高さ位置よりも底面寄りに設ければ、さらに、収納部の結合部を含む側面の高さが低くなり、収納物をより取り出しやすくなる。また、蓋部の開閉時に、収納物が蓋部に引っ掛かりにくくなり、蓋部の開閉がスムースに行える。【００１８】  さらに、立設させた状態において、蓋部を別途収納部として使用できるため、様々な用途が大きく広がる。例えば、取り出しにくい消しゴムやクリップ等の小物を蓋部の収納部においたり、スマートフォン立てとして利用したりすることも可能である。【００１９】  このように、蓋部を別途収納部として使用できるのは、収納部の側面上端部は上面に達しない構成としたためであり、この構成により、立設させた状態において、蓋部は容器状となり、小物等を収納することが可能となる。  また、蓋部は容器状となることで、蓋部が立設する箇所の剛性が大きくなり、ペンスタンドとしての自立姿勢が安定になり、倒れたり傾いたりしにくくなる。  さらに、開閉する際に、開閉距離が短くなり、開閉動作を迅速に行える。【００２０】  また、蓋部の内側に小物入れ用のポケットを設けることも可能であるため、立設させた状態において、取り出しにくい消しゴムやクリップ等の小物をより容易に取り出すことができる。【００２１】  さらに、磁石等の側面固定手段は、閉じた状態においては、ペンケースをスチール製ロッカー等の壁面にくっつけて保管するといったことも可能である。ロッカー等の狭いスペースを有効に利用できる。【００２２】  同様の効果は、本発明を自立型の化粧ポーチとして使用した際にも得られる。  特に、外出時に化粧室等の狭い場所でメイクをする際に便利である。自立型として使用することで、狭い場所でも置きやすく、且つブラシやマスカラ、アイシャドーといった長尺物を取り出しやすい。また、蓋部を別途収納部として使用できるため、小型のミラーを立てたり、背の低い口紅やリップを置いたりと、メイクをするため��機能的に使用できる。
【図面の簡単な説明】
【００２３】
【図１】本発明の自立型ペンケースの蓋を閉じた状態にける側面図である。
【図２】本発明の自立型ペンケースの蓋を開けて立設させた状態にける（ａ）側面図、（ｂ）正面図、および（ｃ）底面図である。
【図３】本発明の自立型ペンケースの使用例を示す図である。
【図４】本発明の自立型ペンケースの使用例を示す図であり、収納部を折り曲げた際の図である。
【図５】実施の形態２において示す箱型形状のペンケースの斜視図であり、（ａ）は閉じた状態、（ｂ）は開いて立設した状態である。
【図６】実施の形態２において示す半円を横長に広げたような形状のペンケースを開いて立設した状態の三面図であり、（ａ）は正面図、（ｂ）は底面図、（ｃ）は側面図である。
【図７】実施の形態２において示す円柱形状のペンケースの斜視図であり、（ａ）は閉じた状態、（ｂ）は開いて立設した状態である。
【図８】実施の形態２において示す三角柱形状のペンケースの斜視図であり、（ａ）は閉じた状態、（ｂ）は開いて立設した状態である。
【発明を実施するための形態】
【００２４】  本発明は、自立型ペンケース、および、同様の構成の自立型化粧ポーチに関するものである。以下の実施の形態においては、自立型ペンケースとして使用する場合の実施の形態として説明を行うが、自立型化粧ポーチとして使用する場合も、同様の構成、同様の動作である。すなわち、以下に説明する本発明に係るペンケースは、立設して使用することでペン立てとしても使用できる。同様に、化粧ポーチとして化粧道具を携帯できるとともに、立設して使用することで、メイクスタンドとしても使用できる。
【００２５】実施の形態１．  以下に、本発明に係る自立型ペンケースの実施の形態について、図を用いて説明する。尚、以下の実施の形態は、本発明の最適な一例であって、特に本発明をこの一例に限定するものではない。
【００２６】＜自立型ペンケースの構成＞  まず、図１および図２用いて、自立型ペンケースの主な構成について説明する。  図１は、自立型ペンケースの蓋を閉じた状態にける側面図である。  図２は、自立型ペンケースの蓋を開けて立設させた状態にける（ａ）側面図、（ｂ）正面図、および（ｃ）底面図である。
【００２７】  自立型ペンケースは、底面１ｅと当該底面１ｅから立設する側面に囲まれた主収納空間１ｂを有する収納部１と、上面２ｅと当該上面２ｅから立設する側面に囲まれた副収納空間２ｂを有する蓋部２とから主になる。  そして、図２に示すように、上記収納部１の側面上端部の一部と、上記蓋部２の側面下端部の一部とが結合部３を成し、当該結合部３を略回転軸として、上記蓋部２が上記収納部１に対して回転可能に結合している。上記蓋部２を上記収納部１に対して略１８０°回転させて、上記蓋部２の側面を上記収納部１の側面に略当接した際に、上記蓋部２の上面と上記収納部１の底面とが略同一面になることが本発明の大きな特徴である。また、上記収納部の側面上端部は上記上面に達しないことも本発明の大きな特徴である。  なお、結合部３は、収納部１の側面上端部の一部と、蓋部２の側面下端部の一部とが直接結合していても良いし、あるいは、、バンドテープ等のフレキシブルな素材を介して間接的に結合していても良い。したがって、「収納部１の側面上端部の一部と、蓋部２の側面下端部の一部とが結合部３を成す」とは、収納部１の側面上端部の一部と、蓋部２の側面下端部の一部とが、直接に結合して結合部３を成す場合だけではなく、間接的に結合して結合部３を成す場合も含む概念である。  また、収納部１や蓋部２をフレキシブルな素材で形成した場合や、バンドテープ等のフレキシブルな素材を介して間接的に結合した結合部３を成した場合には、結合部３は明確な一軸の回転軸とはならない。すなわち、蓋部２は収納部１に対して、結合部３付近を「フレキシブルな」回転軸（＝略回転軸）として回転可能になる。上記「当該結合部３を略回転軸として、上記蓋部２が上記収納部１に対して回転可能に結合している」とは、このような構成も含む概念である。
【００２８】  収納部１と蓋部２を構成する素材としては硬質の樹脂や発泡樹脂を用いても良いが、質感や人に対する優しさの観点から、エストラマ―材料を用い、そのカバーに縫製した布を用いるような柔らかな材料構成が望ましい。あるいは、芯材として合成ゴムを用い、ポリエステルやナイロンを表生地や裏生地として用いても良い。それらの場合には、収納部１と蓋部２との開閉手段１ａ、２ａとしては、ファスナーが最適である。
【００２９】  なお、図２に示すように、開閉手段１ａ、２ａの端部の高さ位置を結合部３の高さ位置よりも底面１ｅ寄りに設けることが望ましい。そうすることで、ペンケースを開いて立設させた際に、収納部１の結合部３近傍の高さが低くなり、収納物をより取り出しやすくなるからである。
【００３０】  また、蓋部２を収納部１に対して略１８０°回転させた際に当接する蓋部２の側面および収納部１の側面とが着脱可能に固定される側面部固定手段１ｃ、２ｃを設けることが望ましい。例えば、側面部固定手段１ｃ、２ｃのうちの一方を永久磁石シートとし、他方を強磁性体のシートとする構成が一例である。このように、ペンケースを開いた際に、磁気的相互作用を用いて収納部１と蓋部２とをしっかりと固定させ、安定して立設させることができる。なお、永久磁石シートの代わりに、例えば、ＰＰシート板に永久磁石を内蔵させたものを用いても良いし、強磁性体のシートの代わりに、ＰＰシート板にスチール板片を内蔵したものを用いても良い。
【００３１】  なお、磁気的相互作用以外に、面ファスナー等を用いても良い。すなわち、収納部１と蓋部２とをしっかりと固定する着脱可能な方法であれば、基本的にどのような方法であっても良い。
【００３２】  さらに、収納部１において、結合部３を有する側面と対向した側面の上方を底面１ｅ方向に折り返し可能にする折り返し部１ｄを設けてもよい。折り返し部１ｄを設ける理由については、後述する使用例において説明する。
【００３３】  また、蓋部２の内側である副収納空間２ｂに小物を収納するためのポケット２ｄを設けてもよい。蓋部２の内壁にこのようなポケット２ｄを設けることができることも、本発明の特長のひとつである。ポケット２ｄは、消しゴムやクリップといった小物を収納するためのポケットであり、布等を縫合して作製する。蓋部２を閉じた際に、ポケット２ｄから収納した小物が落ちないように、ポケット２ｄの入り口に面ファスナー等を設けても良い。あるいは、ポケット２ｄ自体を弾力性のある素材で作成し、小物を弾性力で挟持しても良い。
【００３４】＜自立型ペンケースの使用例＞  次に、図３および図４を用いて、ペンケースの使用例について説明する。  図１の閉じた状態から開閉手段であるファスナー１ａ、２ａを開き、結合部３を回転軸にして蓋部２を略１８０°回転させる。そうすると、収納部１の一つの側面を蓋部２の一つの側面が当接する。そして、側面部固定手段１ｃ、２ｃにより、収納部１と蓋部２はしっかりと固定される。その状態で机の上等に設置すると、図３に示すようにペン立てとして使用できる。収納部１の底面１ｅと蓋部２の上面２ｅの両方が接地面となるため、設置面積は２倍になり、非常に安定に設置できる。
【００３５】  また、収納部１の蓋部２側の側面は低くなるため、筆記具や定規等の収納物を容易に取り出すことができる。このように、収納部１の上側だけではなく、側面も開口するため、開口面積が増加し、ペン立てとしての利便性が向上する。
【００３６】  さらに、蓋部２の内側は副収納部２ｂとして多目的に利用できる。図３においては、一例として、スマートフォン立てとして利用している。蓋部２の側面にコードを通すための開口を設ければ、さらにスマートフォン立てとしての利便性が向上する。
【００３７】  副収納部２ｂは、スマートフォン立て以外に、消しゴム等の小物を置くための収納スペースとしても最適である。収納部１の中に指を入れなくても、小物に簡単にアクセスできる。また、ポケット２ｄも小物の収納に利用できる。
【００３８】  このように、蓋部を別途副収納部２ｂとして使用できるのは、収納部の側面上端部は上面に達しない構成としたためであり、この構成により、立設させた状態において、蓋部は容器状となり、小物等を収納することが可能となる。  また、蓋部は容器状となることで、蓋部が立設する箇所の剛性が大きくなり、ペンスタンドとしての自立姿勢が安定になり、倒れたり傾いたりしにくくなる。  さらに、開閉する際に、開閉距離が短くなり、開閉動作を迅速に行える。
【００３９】  以上のように、蓋部２を１８０°折り返す構成により、数多くの特長が生まれる。設置面積の増大、収納部１の開口面積の増大、蓋部２の内側である副収納部２ｂの多目的の利用、さらにポケット２ｄを設けることも可能にする。
【００４０】  図４は、収納部１に設けた折り返し部１ｄの利用方法を示す図である。折り返し部１ｄは、例えば、収納部１を構成する材料に折り目（凹部）を設ける等により実現できる。図４のように、折り返し部１ｄから上方を底面１ｅ側に折り返すことで、収納部１内の収納物を３６０°どの方向からでも容易に取り出すことができる。
【００４１】＜本発明のまとめ＞  本発明に係る自立型のペンケースは、蓋部を１８０°折り返す構成としたことで以下に示す数多くの発明の効果を有する。
【００４２】  まず、ペンケースを閉じた状態と開いて立設させた状態とで、収納容量が変化しないため、開いて立設させた状態で多くの文具を収納していても、そのままペンケースを閉じて持ち運ぶことが可能である。
【００４３】  また、通常のペンケースと同様の蓋の開閉機構であるため、複雑な機構を必要とせず、製造コストの増加はなく、且つ開閉機構により収納容積が減少することがない。
【００４４】  さらに、ペンケースを開いて立設させた状態において、設置面積が２倍になるため、非常に安定に立設するペン立てとして使用できる。近年、ペンケースとしては質感が高く、優しい印象を与える布縫製加工のものの人気が高いが、そのような柔らかな材質を用いても、設置面積が広いため、安定して立設可能である。
【００４５】  また、収納部と蓋部との結合部の高さ位置は、ペンケースを閉じた際の高さの略中央の位置になる。収納部に対してこの結合部を軸として蓋部を回転させて立設させるので、立設させた状態において、収納部の結合部を含む側面の高さは、閉じた際の高さの略半分の位置になるため、収納物を取り出しやすくなる。  特に、開閉手段の端部の高さ位置を結合部の高さ位置よりも底面寄りに設ければ、さらに、収納部の結合部を含む側面の高さが低くなり、収納物をより取り出しやすくなる。また、蓋部の開閉時に、収納物が蓋部に引っ掛かりにくくなり、蓋部の開閉がスムースに行える。
【００４６】  さらに、立設させた状態において、蓋部を別途収納部として使用できるため、様々な用途が大きく広がる。例えば、取り出しにくい消しゴムやクリップ等の小物を蓋部の収納部においたり、スマートフォン立てとして利用したりすることも可能である。
【００４７】  このように、蓋部を別途収納部として使用できるのは、収納部の側面上端部は上面に達しない構成としたためであり、この構成により、立設させた状態において、蓋部は容器状となり、小物等を収納することが可能となる。  また、蓋部は容器状となることで、蓋部が立設する箇所の剛性が大きくなり、ペンスタンドとしての自立姿勢が安定になり、倒れたり傾いたりしにくくなる。  さらに、開閉する際に、開閉距離が短くなり、開閉動作を迅速に行える。
【００４８】  また、蓋部の内側に小物入れ用のポケットを設けることも可能であるため、立設させた状態において、取り出しにくい消しゴムやクリップ等の小物をより容易に取り出すことができる。
【００４９】  さらに、磁石等の側面固定手段は、閉じた状態においては、ペンケースをスチール製ロッカー等の壁面にくっつけて保管するといったことも可能である。ロッカー等の狭いスペースを有効に利用できる。
【００５０】  同様の効果は、本発明を自立型の化粧ポーチとして使用した際にも得られる。  特に、外出時に化粧室等の狭い場所でメイクをする際に便利である。自立型として使用することで、狭い場所でも置きやすく、且つブラシやマスカラ、アイシャドーといった長尺物を取り出しやすい。また、蓋部を別途収納部として使用できるため、小型のミラーを立てたり、背の低い口紅やリップを置いたりと、メイクをするために機能的に使用できる。
【００５１】実施の形態２．  実施の形態１においては、閉じた状態が半円柱である自立型ペンケースについて説明した。しかし、自立型ペンケースの形状に関しては、閉じた状態が半円柱である形状に限らず、様々な形状が可能である。  例えば、図５に示す箱型形状、図６に示す半円を横長に広げたような形状、図７に示す円柱形状、図８に示す三角柱形状等である。
【００５２】  すなわち、底面と当該底面から立設する側面に囲まれた主収納空間を有する収納部と、上面と当該上面から立設する側面に囲まれた副収納空間を有する蓋部とからなる自立型ペンケースであって、上記収納部の側面上端部の一部と、上記蓋部の側面下端部の一部とが結合部を成し、当該結合部を略回転軸として、上記蓋部が上記収納部に対して回転可能に結合し、上記蓋部を上記収納部に対して略１８０°回転させて、上記蓋部の側面を上記収納部の側面に略当接した際に、上記蓋部の上面と上記収納部の底面とが略同一面にあり、且つ上記収納部の側面上端部は上記上面に達しない自立型ペンケースであれば、どのような形状であっても良い。また、どのような形状であっても、実施の形態１で示したペンケースと同様の発明の効果が生じる。
【００５３】  また、図５に示す箱型形状においては、内容積が大きくなり、収納量が大きくなる。また、ペンスタンドとしての立設状態において、設置面積が大きくなり、自立安定性が向上する。  図６に示す半円を横長に広げたような形状においても、上述した図５に示す箱型形状と同様の特長が生じる。また、卓上オーガナイザー的な使用方法も可能となる。  また、図７に示す円柱形状においても、上述した図５に示す箱型形状と同様の特長が生じる。
【符号の説明】
【００５４】１  収納部１ａ  開閉手段１ｂ  主収納空間１ｃ  側面部固定手段１ｄ  折り返し部１ｅ  底面 ２  蓋部２ａ  開閉手段２ｂ  副収納空間２ｃ  側面部固定手段２ｄ  ポケット２ｅ  上面 ３  結合部
【図１】
2018216488.tif 000003
【図２】
2018216488.tif 000004
【図３】
2018216488.tif 000005
【図４】
2018216488.tif 000006
【図５】
2018216488.tif 000007
【図６】
2018216488.tif 000008
【図７】
2018216488.tif 000009
【図８】
2018216488.tif 000010
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
底面と当該底面から立設する側面に囲まれた主収納空間を有する収納部と、
上面と当該上面から立設する側面に囲まれた副収納空間を有する蓋部と、
からなる自立型収納具であって、
上記収納部と上記蓋部とが着脱可能に開閉する開閉手段を有し、
当該開閉手段の端部の高さ位置を上記結合部の高さ位置よりも上記底面寄りに設け、
上記収納部の側面上端部の一部と、上記蓋部の側面下端部の一部とが結合部を成し、当該結合部を略回転軸として、上記蓋部が上記収納部に対して回転可能に結合し、
上記蓋部を上記収納部に対して略１８０°回転させて、上記蓋部の側面を上記収納部の側面に略当接した際に、上記蓋部の上面と上記収納部の底面とが略同一面にあり、
上記収納部の側面上端部は上記上面に達しない
ことを特徴とする自立型収納具。
【請求項２】
上記収納部において、上記結合部を有する側面と対向した側面の上方を上記底面方向に折り返し可能にする折り返し部を設けた
ことを特徴とする請求項１に記載の自立型収納具。
【請求項３】
上記蓋部を上記収納部に対して略１８０°回転させた際に当接する上記蓋部の側面および上記収納部の側面とが着脱可能に固定される側面部固定手段を有する
ことを特徴とする請求項１または２に記載の自立型収納具。
【請求項４】
上記側面部固定手段は、磁気的相互作用を用いたものである
ことを特徴とする請求項３に記載の自立型収納具。
【請求項５】
上記自立型収納具は、自立型ペンケースである
ことを特徴とする請求項１から４のいずれかに記載の自立型ペンケース。
【手続補正２】
【補正対象書類名】明細書
【補正対象項目名】全文
【補正方法】変更
【補正の内容】
【発明の詳細な説明】
【技術分野】
【０００１】
本発明は、鉛筆等の文具を収納するためのペンケースに代表される収納具に関するものであり、特に自立型収納具に関するものである。
【背景技術】
【０００２】
鉛筆等の文具を収納するためのペンケースであり、且つ、ペン立てのように自立可能な
ものが提案されている。
【０００３】
例えば、ケース本体が、開閉手段を閉位置にしたときに強制的な折り曲げ力を受けて折
れ曲がる一方、開閉手段を開位置にしたときに所定角度開く構成としたで、ケース本体の
閉塞状態を解除するだけで、手で拡げる操作をすることなく、ペン立てとして利用するこ
とが可能となるペンケースが提案されている（例えば、特許文献１）。
【０００４】
また、ケース本体が、その長さを変化する方向に相対移動可能にしたことで、ケース本
体の長手方向一端側に形成された出し入れ口を開放した状態でケース本体の長さを短くし
たときに、筆記具の一端側をケース本体の外に露出させることができ、設置部により自立
可能に設けられているため、筆記具ケースをペン立てとして利用することができるペンケ
ースが提案されている（例えば、特許文献２）。
【０００５】
さらに、文房具又は化粧品等の小物の容器トレーとしても容器スタンドとしても使用可
能な容器が提案されている。この容器は、ペントレーとしての第１の姿勢（水平姿勢）と
ペンスタンドとしての第２の姿勢（垂直姿勢）との２つの姿勢で物の収納に用いられる容
器であって、前記第１姿勢の状態で前記容器を自立させる底を構成する第１底面部１０１
と、前記第２姿勢の状態で前記容器を自立させる底を構成しており前記第１底面部１０１
と交わるように広がった第２底面部１０２と、前記第１底面部１０１のうち前記第２底面
部１０２側とは反対側の端部を含む部分が前記第１底面部１０１側とは反対側に向けて開
放されるように開口した開口部１０３と、を有する本体部１００と、前記開口部１０３を
開閉可能な蓋部１０４と、を備え、前記開口部１０３は、第１姿勢と第２姿勢で共通の開
口部である（例えば、特許文献３）。
【０００６】
また、ファスナーの閉状態では長尺状かつ箱状であり内部に筆記具の第１収納空間が形
成され、ファスナーの開状態ではスタンド形態として使用可能である筆記具ケースであっ
て、前記ファスナーの閉状態において、前記筆記具ケースの長手方向で対向する底面部お
よび天面部と、前記ファスナーの閉状態において、前記長手方向と直交する平面内で前記
第１収納空間を形成し、第１方向で対向する正面部および背面部と、前記第１方向と直交
する第２方向で対向する第１側面部および第２側面部と、を備え、前記ファスナーは、前
記第１側面部の前記長手方向の中央部から前記底面部側の端部までの間にある第１地点か
ら、前記第１側面部および前記天面部を経由し、前記第２側面部の前記長手方向の中央部
から前記底面部側の端部までの間にある第２地点まで形成され、前記ファスナーの開状態
において、前記正面部は、前記長手方向における中央部の屈曲領域を中心に屈曲可能であ
り、前記筆記具ケースは、前記正面部を屈曲させた状態において前記天面部および前記底
面部を載置面に接触させることでスタンド形態として使用可能であり、前記正面部を屈曲
させた状態において前記背面部を前記載置面に接触させることで寝かせた形態として使用
可能であり、前記ファスナーは、前記天面部において、前記背面部側の縁部に沿って設け
られ、前記天面部は、芯材として金属板を備えることを特徴とする筆記具ケースも提案さ
れている（例えば、特許文献４）。
【先行技術文献】
【特許文献】
【０００７】
【特許文献１】特開２００２−３２０５１３号
【特許文献２】特開２００２−３２０５１２号
【特許文献３】特開２０１７−２００５７０号
【特許文献４】特許６２２４８７５号
【発明の概要】
【発明が解決しようとする課題】
【０００８】
しかしながら、特許文献１に開示されている構成においては、開閉手段を開位置にした
ときには、多くの筆記具等を収納できるが、開閉手段を閉位置にしたときには著しく収納
容積が減少するため、多くの筆記具等を収納した状態でケースを閉じることができなかっ
た。また、開閉手段を開位置にしたときにおいても、開口面積が小さいため、消しゴム等
の小物を取り出しにくいという問題もあった。
【０００９】
特許文献２に開示されている構成においては、ケース本体の長さを変化させるという複
雑な機構が必要なため、体積に比して収納容積が小さくなるという問題があった。また、
ケース本体の長さを変化させる際に、収納物がその勢いでケース外に飛び出してしまうと
いうリスクもある。
【００１０】
特許文献３に開示されている構成においては、図２に示されるように、係止部１０８２
が蓋部１０４の図２における左端面に到達している。したがって、ペンスタンドとしての
第１の姿勢（図４）において、蓋部１０４が立設する箇所の剛性が小さく、ペンスタンド
としての自立姿勢が不安定になり、倒れたり傾いたりしやすくなる。
また、ペンスタンドとしての第１の姿勢において、蓋部１０４を収納部として利用でき
ない。
さらに、係止部１０８２を開閉する際に、開閉距離が長くなり、開閉に手間が掛かると
いった種々の課題がある。
【００１１】
特許文献４に開示されている構成においても、上述した特許文献３に開示されている容
器と同様の課題がある。特に、図１８や図１９に示されているファスナーが天面部内を通
過する構成においては、これらの課題がより顕著になる。
【００１２】
本発明は、上記の問題点を解決し、且つ、より安定に立設可能なペンケースや化粧ポーチ、パソコンケースを含む自立型収納具を提案するものである。
【課題を解決するための手段】
【００１３】
上記の課題を解決するために、本発明の請求項１に記載した自立型収納具は、
底面と当該底面から立設する側面に囲まれた主収納空間を有する収納部と、
上面と当該上面から立設する側面に囲まれた副収納空間を有する蓋部と、
からなる自立型収納具であって、
上記収納部と上記蓋部とが着脱可能に開閉する開閉手段を有し、
当該開閉手段の端部の高さ位置を上記結合部の高さ位置よりも上記底面寄りに設け、
上記収納部の側面上端部の一部と、上記蓋部の側面下端部の一部とが結合部を成し、当該結合部を略回転軸として、上記蓋部が上記収納部に対して回転可能に結合し、
上記蓋部を上記収納部に対して略１８０°回転させて、上記蓋部の側面を上記収納部の側面に略当接した際に、上記蓋部の上面と上記収納部の底面とが略同一面にあり、
上記収納部の側面上端部は上記上面に達しない
ことを特徴とする。
また、請求項２に記載した自立型収納具は、
請求項１に記載した自立型収納具であって、
上記収納部において、上記結合部を有する側面と対向した側面の上方を上記底面方向に折り返し可能にする折り返し部を設けた
ことを特徴とする。
また、請求項３に記載した自立型収納具は、
請求項１または２に記載した自立型収納具であって、
上記蓋部を上記収納部に対して略１８０°回転させた際に当接する上記蓋部の側面および上記収納部の側面とが着脱可能に固定される側面部固定手段を有する
ことを特徴とする。
また、請求項４に記載した自立型収納具は、
請求項３に記載した自立型収納具であって、
上記側面部固定手段は、磁気的相互作用を用いたものである
ことを特徴とする。
また、請求項５に記載した自立型収納具は、
請求項１から４のいずれかに記載した自立型収納具であって、
上記自立型収納具は、自立型ペンケースである
ことを特徴とする。
【発明の効果】
【００１４】
本発明に係る自立型収納具は上記のように構成されているので、以下に示す数多くの発明の効果を有する。
まず、自立型収納具を閉じた状態と開いて立設させた状態とで、収納容量が変化しないため、開いて立設させた状態で多くの文具を収納していても、そのまま自立型収納具を閉じて持ち運ぶことが可能である。
【００１５】
また、通常のペンケースと同様の蓋の開閉機構であるため、複雑な機構を必要とせず、
製造コストの大きな増加はなく、且つ開閉機構により収納容積が減少することがない。
【００１６】
さらに、自立型収納具を開いて立設させた状態において、設置面積が２倍になるため、非常に安定に立設するペン立てとして使用できる。近年、ペンケースとしては質感が高く、優しい印象を与える布縫製加工のものの人気が高いが、そのような柔らかな材質を用いても、設置面積が広いため、安定して立設可能である。
【００１７】
また、収納部と蓋部との結合部の高さ位置は、自立型収納具を閉じた際の高さの略中央の位置になる。収納部に対してこの結合部を軸として蓋部を回転させて立設させるので、立設させた状態において、収納部の結合部を含む側面の高さは、閉じた際の高さの略半分の位置になるため、収納物を取り出しやすくなる。
特に、開閉手段の端部の高さ位置を結合部の高さ位置よりも底面寄りに設ければ、さら
に、収納部の結合部を含む側面の高さが低くなり、収納物をより取り出しやすくなる。ま
た、蓋部の開閉時に、収納物が蓋部に引っ掛かりにくくなり、蓋部の開閉がスムースに行
える。
【００１８】
さらに、立設させた状態において、蓋部を別途収納部として使用できるため、様々な用
途が大きく広がる。例えば、取り出しにくい消しゴムやクリップ等の小物を蓋部の収納部
においたり、スマートフォン立て、タブレットＰＣ立てとして利用したりすることも可能である。
【００１９】
このように、蓋部を別途収納部として使用できるのは、収納部の側面上端部は上面に達
しない構成としたためであり、この構成により、立設させた状態において、蓋部は容器状
となり、小物等を収納することが可能となる。
また、蓋部は容器状となることで、蓋部が立設する箇所の剛性が大きくなり、ペンスタ
ンドとしての自立姿勢が安定になり、倒れたり傾いたりしにくくなる。
さらに、開閉する際に、開閉距離が短くなり、開閉動作を迅速に行える。
【００２０】
また、蓋部の内側に小物入れ用のポケットを設けることも可能であるため、立設させた
状態において、取り出しにくい消しゴムやクリップ等の小物をより容易に取り出すことが
できる。
【００２１】
さらに、磁石等の側面固定手段は、閉じた状態においては、自立型収納具をスチール製ロッカー等の壁面にくっつけて保管するといったことも可能である。ロッカー等の狭いスペースを有効に利用できる。
【００２２】
同様の効果は、本発明を自立型の化粧ポーチとして使用した際にも得られる。
特に、外出時に化粧室等の狭い場所でメイクをする際に便利である。自立型として使用
することで、狭い場所でも置きやすく、且つブラシやマスカラ、アイシャドーといった長
尺物を取り出しやすい。また、蓋部を別途収納部として使用できるため、小型のミラーを
立てたり、背の低い口紅やリップを置いたりと、メイクをするために機能的に使用できる
。
【図面の簡単な説明】
【００２３】
【図１】本発明の自立型収納具の蓋を閉じた状態にける側面図である。
【図２】本発明の自立型収納具の蓋を開けて立設させた状態にける（ａ）側面図、（ｂ）正面図、および（ｃ）底面図である。
【図３】本発明の自立型収納具の使用例を示す図である。
【図４】本発明の自立型収納具の使用例を示す図であり、収納部を折り曲げた際の図である。
【図５】実施の形態２において示す箱型形状の自立型収納具の斜視図であり、（ａ）は閉じた状態、（ｂ）は開いて立設した状態である。
【図６】実施の形態２において示す半円を横長に広げたような形状の自立型収納具を開いて立設した状態の三面図であり、（ａ）は正面図、（ｂ）は底面図、（ｃ）は側面図である。
【図７】実施の形態２において示す円柱形状の自立型収納具の斜視図であり、（ａ）は閉じた状態、（ｂ）は開いて立設した状態である。
【図８】実施の形態２において示す三角柱形状の自立型収納具の斜視図であり、（ａ）は閉じた状態、（ｂ）は開いて立設した状態である。
【発明を実施するための形態】
【００２４】
本発明は、自立型ペンケース、および、同様の構成の自立型化粧ポーチを含む自立型収納具に関するものである。以下の実施の形態においては、自立型ペンケースとして使用する場合の実施の形態として説明を行うが、自立型化粧ポーチとして使用する場合も、同様の構成、同様の動作である。すなわち、以下に説明する本発明に係る自立型収納具は、立設して使用することでペン立てとしても使用できる。同様に、化粧ポーチとして化粧道具を携帯できるとともに、立設して使用することで、メイクスタンドとしても使用できる。
【００２５】
実施の形態１．
以下に、本発明に係る自立型ペンケースの実施の形態について、図を用いて説明する。
尚、以下の実施の形態は、本発明の最適な一例であって、特に本発明をこの一例に限定す
るものではない。
【００２６】
＜自立型ペンケースの構成＞
まず、図１および図２用いて、自立型ペンケースの主な構成について説明する。
図１は、自立型ペンケースの蓋を閉じた状態にける側面図である。
図２は、自立型ペンケースの蓋を開けて立設させた状態にける（ａ）側面図、（ｂ）正
面図、および（ｃ）底面図である。
【００２７】
自立型ペンケースは、底面１ｅと当該底面１ｅから立設する側面に囲まれた主収納空間
１ｂを有する収納部１と、上面２ｅと当該上面２ｅから立設する側面に囲まれた副収納空
間２ｂを有する蓋部２とから主になる。
そして、図２に示すように、上記収納部１の側面上端部の一部と、上記蓋部２の側面下
端部の一部とが結合部３を成し、当該結合部３を略回転軸として、上記蓋部２が上記収納
部１に対して回転可能に結合している。上記蓋部２を上記収納部１に対して略１８０°回
転させて、上記蓋部２の側面を上記収納部１の側面に略当接した際に、上記蓋部２の上面
と上記収納部１の底面とが略同一面になることが本発明の大きな特徴である。また、上記
収納部の側面上端部は上記上面に達しないことも本発明の大きな特徴である。
なお、結合部３は、収納部１の側面上端部の一部と、蓋部２の側面下端部の一部とが直
接結合していても良いし、あるいは、、バンドテープ等のフレキシブルな素材を介して間
接的に結合していても良い。したがって、「収納部１の側面上端部の一部と、蓋部２の側
面下端部の一部とが結合部３を成す」とは、収納部１の側面上端部の一部と、蓋部２の側
面下端部の一部とが、直接に結合して結合部３を成す場合だけではなく、間接的に結合し
て結合部３を成す場合も含む概念である。
また、収納部１や蓋部２をフレキシブルな素材で形成した場合や、バンドテープ等のフレキシブルな素材を介して間接的に結合した結合部３を成した場合には、結合部３は明確
な一軸の回転軸とはならない。すなわち、蓋部２は収納部１に対して、結合部３付近を「
フレキシブルな」回転軸（＝略回転軸）として回転可能になる。上記「当該結合部３を略
回転軸として、上記蓋部２が上記収納部１に対して回転可能に結合している」とは、この
ような構成も含む概念である。
【００２８】
収納部１と蓋部２を構成する素材としては硬質の樹脂や発泡樹脂を用いても良いが、質
感や人に対する優しさの観点から、エストラマ―材料を用い、そのカバーに縫製した布を
用いるような柔らかな材料構成が望ましい。あるいは、芯材として合成ゴムを用い、ポリ
エステルやナイロンを表生地や裏生地として用いても良い。それらの場合には、収納部１
と蓋部２との開閉手段１ａ、２ａとしては、ファスナーが最適である。
【００２９】
なお、図２に示すように、開閉手段１ａ、２ａの端部の高さ位置を結合部３の高さ位置
よりも底面１ｅ寄りに設けることが望ましい。そうすることで、ペンケースを開いて立設
させた際に、収納部１の結合部３近傍の高さが低くなり、収納物をより取り出しやすくな
るからである。
【００３０】
また、蓋部２を収納部１に対して略１８０°回転させた際に当接する蓋部２の側面およ
び収納部１の側面とが着脱可能に固定される側面部固定手段１ｃ、２ｃを設けることが望
ましい。例えば、側面部固定手段１ｃ、２ｃのうちの一方を永久磁石シートとし、他方を
強磁性体のシートとする構成が一例である。このように、ペンケースを開いた際に、磁気
的相互作用を用いて収納部１と蓋部２とをしっかりと固定させ、安定して立設させること
ができる。なお、永久磁石シートの代わりに、例えば、ＰＰシート板に永久磁石を内蔵さ
せたものを用いても良いし、強磁性体のシートの代わりに、ＰＰシート板にスチール板片
を内蔵したものを用いても良い。
【００３１】
なお、磁気的相互作用以外に、面ファスナー等を用いても良い。すなわち、収納部１と
蓋部２とをしっかりと固定する着脱可能な方法であれば、基本的にどのような方法であっ
ても良い。
【００３２】
さらに、収納部１において、結合部３を有する側面と対向した側面の上方を底面１ｅ方
向に折り返し可能にする折り返し部１ｄを設けてもよい。折り返し部１ｄを設ける理由に
ついては、後述する使用例において説明する。
【００３３】
また、蓋部２の内側である副収納空間２ｂに小物を収納するためのポケット２ｄを設け
てもよい。蓋部２の内壁にこのようなポケット２ｄを設けることができることも、本発明
の特長のひとつである。ポケット２ｄは、消しゴムやクリップといった小物を収納するた
めのポケットであり、布等を縫合して作製する。蓋部２を閉じた際に、ポケット２ｄから
収納した小物が落ちないように、ポケット２ｄの入り口に面ファスナー等を設けても良い
。あるいは、ポケット２ｄ自体を弾力性のある素材で作成し、小物を弾性力で挟持しても
良い。
【００３４】
＜自立型ペンケースの使用例＞
次に、図３および図４を用いて、ペンケースの使用例について説明する。
図１の閉じた状態から開閉手段であるファスナー１ａ、２ａを開き、結合部３を回転軸
にして蓋部２を略１８０°回転させる。そうすると、収納部１の一つの側面を蓋部２の一
つの側面が当接する。そして、側面部固定手段１ｃ、２ｃにより、収納部１と蓋部２はし
っかりと固定される。その状態で机の上等に設置すると、図３に示すようにペン立てとし
て使用できる。収納部１の底面１ｅと蓋部２の上面２ｅの両方が接地面となるため、設置
面積は２倍になり、非常に安定に設置できる。
【００３５】
また、収納部１の蓋部２側の側面は低くなるため、筆記具や定規等の収納物を容易に取
り出すことができる。このように、収納部１の上側だけではなく、側面も開口するため、
開口面積が増加し、ペン立てとしての利便性が向上する。
【００３６】
さらに、蓋部２の内側は副収納部２ｂとして多目的に利用できる。図３においては、一
例として、スマートフォン立てとして利用している。蓋部２の側面にコードを通すための
開口を設ければ、さらにスマートフォン立てとしての利便性が向上する。
【００３７】
副収納部２ｂは、スマートフォン立て以外に、消しゴム等の小物を置くための収納スペ
ースとしても最適である。収納部１の中に指を入れなくても、小物に簡単にアクセスでき
る。また、ポケット２ｄも小物の収納に利用できる。
【００３８】
このように、蓋部を別途副収納部２ｂとして使用できるのは、収納部の側面上端部は上
面に達しない構成としたためであり、この構成により、立設させた状態において、蓋部は
容器状となり、小物等を収納することが可能となる。
また、蓋部は容器状となることで、蓋部が立設する箇所の剛性が大きくなり、ペンスタ
ンドとしての自立姿勢が安定になり、倒れたり傾いたりしにくくなる。
さらに、開閉する際に、開閉距離が短くなり、開閉動作を迅速に行える。
【００３９】
以上のように、蓋部２を１８０°折り返す構成により、数多くの特長が生まれる。設置
面積の増大、収納部１の開口面積の増大、蓋部２の内側である副収納部２ｂの多目的の利
用、さらにポケット２ｄを設けることも可能にする。
【００４０】
図４は、収納部１に設けた折り返し部１ｄの利用方法を示す図である。折り返し部１ｄ
は、例えば、収納部１を構成する材料に折り目（凹部）を設ける等により実現できる。図
４のように、折り返し部１ｄから上方を底面１ｅ側に折り返すことで、収納部１内の収納
物を３６０°どの方向からでも容易に取り出すことができる。
【００４１】
＜本発明のまとめ＞
本発明に係る自立型のペンケースは、蓋部を１８０°折り返す構成としたことで以下に
示す数多くの発明の効果を有する。
【００４２】
まず、ペンケースを閉じた状態と開いて立設させた状態とで、収納容量が変化しないた
め、開いて立設させた状態で多くの文具を収納していても、そのままペンケースを閉じて
持ち運ぶことが可能である。
【００４３】
また、通常のペンケースと同様の蓋の開閉機構であるため、複雑な機構を必要とせず、
製造コストの増加はなく、且つ開閉機構により収納容積が減少することがない。
【００４４】
さらに、ペンケースを開いて立設させた状態において、設置面積が２倍になるため、非
常に安定に立設するペン立てとして使用できる。近年、ペンケースとしては質感が高く、
優しい印象を与える布縫製加工のものの人気が高いが、そのような柔らかな材質を用いて
も、設置面積が広いため、安定して立設可能である。
【００４５】
また、収納部と蓋部との結合部の高さ位置は、ペンケースを閉じた際の高さの略中央の
位置になる。収納部に対してこの結合部を軸として蓋部を回転させて立設させるので、立
設させた状態において、収納部の結合部を含む側面の高さは、閉じた際の高さの略半分の
位置になるため、収納物を取り出しやすくなる。
特に、開閉手段の端部の高さ位置を結合部の高さ位置よりも底面寄りに設ければ、さらに、収納部の結合部を含む側面の高さが低くなり、収納物をより取り出しやすくなる。ま
た、蓋部の開閉時に、収納物が蓋部に引っ掛かりにくくなり、蓋部の開閉がスムースに行
える。
【００４６】
さらに、立設させた状態において、蓋部を別途収納部として使用できるため、様々な用
途が大きく広がる。例えば、取り出しにくい消しゴムやクリップ等の小物を蓋部の収納部
においたり、スマートフォン立てとして利用したりすることも可能である。
【００４７】
このように、蓋部を別途収納部として使用できるのは、収納部の側面上端部は上面に達
しない構成としたためであり、この構成により、立設させた状態において、蓋部は容器状
となり、小物等を収納することが可能となる。
また、蓋部は容器状となることで、蓋部が立設する箇所の剛性が大きくなり、ペンスタ
ンドとしての自立姿勢が安定になり、倒れたり傾いたりしにくくなる。
さらに、開閉する際に、開閉距離が短くなり、開閉動作を迅速に行える。
【００４８】
また、蓋部の内側に小物入れ用のポケットを設けることも可能であるため、立設させた
状態において、取り出しにくい消しゴムやクリップ等の小物をより容易に取り出すことが
できる。
【００４９】
さらに、磁石等の側面固定手段は、閉じた状態においては、ペンケースをスチール製ロ
ッカー等の壁面にくっつけて保管するといったことも可能である。ロッカー等の狭いスペ
ースを有効に利用できる。
【００５０】
同様の効果は、本発明を自立型の化粧ポーチとして使用した際にも得られる。
特に、外出時に化粧室等の狭い場所でメイクをする際に便利である。自立型として使用
することで、狭い場所でも置きやすく、且つブラシやマスカラ、アイシャドーといった長
尺物を取り出しやすい。また、蓋部を別途収納部として使用できるため、小型のミラーを
立てたり、背の低い口紅やリップを置いたりと、メイクをするために機能的に使用できる
。
【００５１】
実施の形態２．
実施の形態１においては、閉じた状態が半円柱である自立型ペンケースについて説明し
た。しかし、自立型ペンケースの形状に関しては、閉じた状態が半円柱である形状に限ら
ず、様々な形状が可能である。
例えば、図５に示す箱型形状、図６に示す半円を横長に広げたような形状、図７に示す
円柱形状、図８に示す三角柱形状等である。
【００５２】
すなわち、底面と当該底面から立設する側面に囲まれた主収納空間を有する収納部と、
上面と当該上面から立設する側面に囲まれた副収納空間を有する蓋部とからなる自立型ペ
ンケースであって、上記収納部の側面上端部の一部と、上記蓋部の側面下端部の一部とが
結合部を成し、当該結合部を略回転軸として、上記蓋部が上記収納部に対して回転可能に
結合し、上記蓋部を上記収納部に対して略１８０°回転させて、上記蓋部の側面を上記収
納部の側面に略当接した際に、上記蓋部の上面と上記収納部の底面とが略同一面にあり、
且つ上記収納部の側面上端部は上記上面に達しない自立型ペンケースであれば、どのよう
な形状であっても良い。また、どのような形状であっても、実施の形態１で示したペンケ
ースと同様の発明の効果が生じる。
【００５３】
また、図５に示す箱型形状においては、内容積が大きくなり、収納量が大きくなる。ま
た、ペンスタンドとしての立設状態において、設置面積が大きくなり、自立安定性が向上
する。
図６に示す半円を横長に広げたような形状においても、上述した図５に示す箱型形状と
同様の特長が生じる。また、卓上オーガナイザー的な使用方法も可能となる。
また、図７に示す円柱形状においても、上述した図５に示す箱型形状と同様の特長が生
じる。
【符号の説明】
【００５４】
１  収納部
１ａ  開閉手段
１ｂ  主収納空間
１ｃ  側面部固定手段
１ｄ  折り返し部
１ｅ  底面
２  蓋部
２ａ  開閉手段
２ｂ  副収納空間
２ｃ  側面部固定手段
２ｄ  ポケット
２ｅ  上面
３  結合部
【手続補正書】
【提出日】令和1年11月12日(2019.11.12)
【手続補正２】
【補正対象書類名】手続補正書
【補正対象項目名】手続補正３
【補正方法】削除
【補正の内容】
【国際調査報告】
2018216488.tif 000011
2018216488.tif 000012
2018216488.tif 000013
2018216488.tif 000014